(57)【要約】【課題】  設備の省力化とコンパクト化を図ることのできる搬送機構を備えた脆性材料基板の分断装置を提供する。【解決手段】  スクライブ装置Ｄとブレイク装置Ｆとを備え、基板Ｗを載置するブレイク装置Ｆのテーブル１５が、基板Ｗの主経路となる第１の方向とは異なる第２の方向に沿って移動するように構成された基板分断装置であって、スクライブラインＳ形成後の基板Ｗを反転させてブレイク装置Ｆのテーブル１５上に載置するとともに、分断された基板Ｗをブレイク装置Ｆのテーブル１５から吸着して除材する吸着反転機構Ｇと、吸着した基板Ｗをスクライブ装置Ｄのテーブル５上に載置する動作、および、スクライブラインＳ形成後の基板Ｗを、スクライブ装置Ｄのテーブル５から吸着して吸着反転機構Ｇに受け渡す動作を行う吸着搬送機構Ｅとを備えるようにする。【選択図】図１
2014080334.tif 000002
【特許請求の範囲】
【請求項１】
基板を順次搬送する主経路を第１の方向とし、前記主経路の途中に、基板表面にスクライブラインを形成するスクライブ装置と、スクライブラインが形成された基板を前記スクライブラインに沿ってブレイクするブレイク装置とが配置された基板分断装置であって、
基板を吸着する下向きの吸着板を有し、かつ、前記基板を吸着して前記スクライブ装置のテーブル上に載置する動作、および、スクライブライン形成後の基板を前記スクライブ装置のテーブルから吸着して後記吸着反転機構に受け渡す動作を行う吸着搬送機構と、
上下反転可能な吸着板を有し、かつ、前記吸着搬送機構から受け取ったスクライブライン形成後の基板を反転させて前記ブレイク装置のテーブル上に載置する動作、および、ブレイク後の基板を前記ブレイク装置のテーブルから吸着して除材する動作を行う吸着反転機構とを備え、
前記ブレイク装置のテーブルは、前記主経路上の受け渡し位置で前記吸着反転機構から基板を受け取った後に前記第１の方向とは異なる方向に沿って基板のブレイク位置まで移動し、ブレイク完了後は前記受け渡し位置まで復帰するよう構成されている基板分断装置。
【請求項２】
前記スクライブ装置のテーブルは、前記主経路上の受け渡し位置で前記吸着搬送機構から基板を受け取った後に前記第１の方向とは異なる方向に沿って基板のスクライブライン形成位置まで移動し、スクライブライン形成完了後は前記受け渡し位置まで復帰するよう構成されている請求項１に記載の基板分断装置。
【発明の詳細な説明】
【技術分野】
【０００１】
本発明は、ガラス基板等の脆性材料基板の基板分断装置に関する。特に本発明は、基板上にスクライブラインを形成し、このスクライブラインに沿ってブレイクする基板分断装置に関する。
【背景技術】
【０００２】
従来より、テーブル上に載置した大面積のマザー基板に対し、カッターホイール（スクライビングホイールともいう）を所定のスクライブ圧を加えた状態で転動させたり、レーザビームの照射による熱歪を利用したりして、互いに直交する複数条の平行なスクライブラインを形成し、その後に、マザー基板を基板反転機構により表裏反転し、当該スクライブラインを設けた面とは反対側の面からブレイクバーを押し当てて基板を撓ませることにより基板を分断し、単位製品を取り出す方法が、例えば特許文献１等で開示されている。
【０００３】
また、２枚のガラス基板を貼り合わせたマザー基板を分断する場合、スクライブ装置のテーブル上に載置されたマザー基板に対して、カッターホイールを転動させることにより基板の一方の面であるＡ面にスクライブラインを形成する。次いで、基板吸着装置で基板を吸着して反転させた後、ブレイク装置のテーブル上に載置し、基板Ａ面の裏面となる基板Ｂ面をブレイクバー等で押圧して基板Ａ面を分断する。次いで、上記と同様に、基板Ｂ面にスクライブラインを形成し、基板を反転させた後、基板Ａ面をブレイクバー等で押圧して基板Ｂ面を分断する。この後、分断された基板をブレイク装置から除材して次の工程へ移行する方法が、例えば特許文献２（図４５）等で開示されている。
【先行技術文献】
【特許文献】
【０００４】
【特許文献１】特開平１１−１１６２６０号公報
【特許文献２】国際公開ＷＯ２００２／０５７１９２号公報
【発明の概要】
【発明が解決しようとする課題】
【０００５】
一般的に、スクライブ装置やブレイク装置は、加工すべき基板を載置するテーブルが、スクライブヘッドやブレイクバーを保持するビーム（左右の支柱によって門型に支えられた横梁）をくぐるようにして移動するように形成されている。そのためにスクライブ装置やブレイク装置は、平面視においてテーブルの移動方向を長くした長方形の設置スペースが必要となっている。
このような平面視長方形のスクライブ装置やブレイク装置を、その長尺方向を直列に配置して基板分断装置の加工ラインを構成すると、加工ライン全体の長さが長くなって装置全体が長尺化する。
したがって、装置の長尺化を抑えてコンパクトな加工ラインにするためには、例えば上記特許文献１（図３）にも示されているように、基板が順次搬送される加工ライン方向に対し、スクライブ装置やブレイク装置の長尺方向が異なる方向、例えば直交する方向に向けて配置されることが好ましい。
【０００６】
しかし、上記特許文献１に記載の従来技術では、スクライブ装置とブレイク装置との間には基板を吸着して反転する反転機構や置き台が配置され、また、ブレイク装置の後段には基板を吸着して次工程に移行させる除材機構が配置されており、それぞれが別々の装置として配置されている。そのため、加工ラインを構成するための装置部材が多くなってコンパクト化の妨げになるとともに、設備費が高くなるといった問題点があった。
【０００７】
そこで本発明は、上記した従来課題に鑑み、設備の省力化とコンパクト化を図ることのできる搬送機構を備えた脆性材料基板の基板分断装置を提供することを目的とする。
【課題を解決するための手段】
【０００８】
上記目的を達成するために本発明では次のような技術的手段を講じた。すなわち、本発明の基板分断装置は、基板を順次搬送する主経路を第１の方向とし、前記主経路の途中に、基板表面にスクライブラインを形成するスクライブ装置と、スクライブラインが形成された基板を前記スクライブラインに沿ってブレイクするブレイク装置とが配置された基板分断装置であって、基板を吸着する下向きの吸着板を有し、かつ、前記基板を吸着して前記スクライブ装置のテーブル上に載置する動作、および、スクライブライン形成後の基板を前記スクライブ装置のテーブルから吸着して後記吸着反転機構に受け渡す動作を行う吸着搬送機構と、上下反転可能な吸着板を有し、かつ、前記吸着搬送機構から受け取ったスクライブライン形成後の基板を反転させて前記ブレイク装置のテーブル上に載置する動作、および、ブレイク後の基板を前記ブレイク装置のテーブルから吸着して除材する動作を行う吸着反転機構とを備え、前記ブレイク装置のテーブルは、前記主経路上の受け渡し位置で前記吸着反転機構から基板を受け取った後に前記第１の方向とは異なる方向に沿って基板のブレイク位置まで移動し、ブレイク完了後は前記受け渡し位置まで復帰する構成とした。
また上記発明において、前記スクライブ装置のテーブルも前記ブレイク装置のテーブルと同じように、前記主経路上の受け渡し位置で前記吸着搬送機構から基板を受け取った後に前記第１の方向とは異なる方向に沿って基板のスクライブライン形成位置まで移動し、スクライブライン形成完了後は前記受け渡し位置まで復帰するように構成するのがよい。
【発明の効果】
【０００９】
本発明の基板分断装置では、スクライブ装置からブレイク装置のテーブルに基板を移送する際に必要となる基板を反転して搬送する作業と、ブレイク装置のテーブルからブレイク後の基板を除材する除材作業とを、吸着板で基板を吸着する動作が共通していることを利用して、一つの吸着反転機構によって行うようにした。これにより、除材のための機構を省略することができて分断装置を簡素化し、コンパクトに構成することが可能となる。
【００１０】
また、ブレイク装置で最初の基板にブレイク作業が行われている間に、スクライブ装置でスクライブされた基板を吸着搬送機構で吸着して次の受け渡しのために待機させておくことができる。これにより、流れ作業で連続的に基板を分断することが可能となる。
また、少なくともブレイク装置のテーブルが、前記主経路の受け渡し位置から前記第１の方向とは異なる方向に移動してブレイク加工を施すようにしたので、主経路方向に加工ラインが長くなることを抑えることができる。
【図面の簡単な説明】
【００１１】
【図１】本発明に係る基板分断装置の全体構成を示す概略的な斜視図。
【図２】図１の基板分断装置の概略的な平面図。
【図３】図１の基板分断装置における吸着搬送機構の側面図。
【図４】図１の基板分断装置におけるスクライブ装置の斜視図。
【図５】図１の基板分断装置におけるブレイク装置の斜視図。
【図６】図１の基板分断装置における吸着反転機構の斜視図。
【図７】図６の吸着反転機構の側面図。
【図８】図６の吸着反転機構の一部断面平面図。
【図９】本発明の基板分断装置による分断工程の第１段階を示す概略的な平面図。
【図１０】基板分断工程の第２段階を示す概略的な平面図。
【図１１】基板分断工程の第３段階を示す概略的な平面図。
【図１２】基板分断工程の第４段階を示す概略的な平面図。
【図１３】基板分断工程の第５段階を示す概略的な平面図。
【図１４】基板分断工程の第６段階を示す概略的な平面図。
【発明を実施するための形態】
【００１２】
以下、本発明に係る基板分断装置の詳細を図面に基づいて説明する。
図１は本発明に係る基板分断装置の全体構成を示す概略的な斜視図であり、図２はその概略的な平面図を示すものである。
【００１３】
本発明の基板分断装置は、図１並びに図２に示すように、マザー基板Ｗを給材する搬入用コンベアＣと、給材された基板Ｗを吸着してスクライブ装置Ｄのテーブル５上に載置する吸着搬送機構Ｅと、基板Ｗの表面にスクライブラインを形成するスクライブ装置Ｄと、スクライブされた基板Ｗを受け取って表裏反転させ、ブレイク装置Ｆのテーブル１５上に載置するとともに、ブレイク装置Ｆで分断された基板Ｗを吸着して排出用コンベアＨに除材する吸着反転機構Ｇと、基板Ｗをスクライブラインに沿ってブレイクするブレイク装置Ｆとから構成される。
加工される基板Ｗは、搬入用コンベアＣからスクライブ装置Ｄ、ブレイク装置Ｆを経て排出用コンベアＨまで、第１の方向に延びる直線Ｌに沿って順次移行されるようになっており、第１の方向は、図面上ではＸ方向として表示される。この第１の方向に沿った基板の送り経路は加工ラインであり、本発明では「基板の主経路」という。また、第１の方向とは異なる方向、好ましくは直交する方向を第２の方向とする。
【００１４】
搬入用コンベアＣから基板Ｗを吸着してスクライブ装置Ｄのテーブル５上に載置する吸着搬送機構Ｅは、図３に示すように、第１の方向、すなわち、Ｘ方向の直線Ｌに沿って配置されたガイドレール１と、このガイドレール１に沿って移動するスライド部材２と、スライド部材２に水平な姿勢で昇降可能に取り付けられた吸着板３とからなる。吸着板３は下面に多数の吸着孔を備え、真空ポンプを用いた減圧装置と吸気用の配管（図示外）で接続されており、減圧装置による吸引エアによって基板Ｗを吸着して搬送できるように形成されている。ガイドレール１はスクライブ装置Ｄや吸着反転機構Ｇの動作を妨げないように、基板分断装置の上方に配置されている。
【００１５】
スクライブ装置Ｄは、図４に示すように、前記した基板の主経路の方向（すなわち、Ｘ方向）と平面上で直交する第２の方向（Ｙ方向）に延設されたレール４に沿って移動するテーブル５を備えており、モータ６によって回転するネジ軸７により駆動される。さらに、テーブル５は、モータを内蔵する回転駆動部８により水平面内で回動できるようになっている。また、左右一対の支柱９、９と、これら支柱９、９に橋架されたＸ方向に延びるガイド１０を備えたビーム１１とによって門型の支持体が形成される。ガイド１０にはカッターホイール１２を有するスクライブヘッド１３がガイド１０に沿ってＸ方向に移動できるように取り付けられている。
【００１６】
ブレイク装置Ｆは、図５に示すように、基板の主経路の方向（Ｘ方向）と平面上で直交する第２の方向（Ｙ方向）に延設されたレール１４に沿って移動するテーブル１５を備えており、モータ１６によって回転するネジ軸１７により駆動される。さらに、テーブル１５はモータを内蔵する回転駆動部１８により水平面内で回動できるようになっている。また、左右一対の支柱１９、１９と、これら支柱１９、１９に橋架されたＸ方向に延びる横枠２０を備えたビーム２１とによって門型の支持体が形成される。横枠２０には、Ｘ方向に延びるブレイクバー２２がシリンダ２３により昇降できるように取り付けられている。
【００１７】
吸着反転機構Ｇは、図６〜８に示すように、Ｘ方向に延びるガイドレール２４に沿って移動可能に配置された移動台２５と、移動台２５に固定され上下方向に延びる四角柱の支柱２６と、支柱２６に沿って上下動可能に取り付けられた可動子２７と、可動子２７に水平な軸２８の周りで回転可能に取り付けられ、かつ、先端部に吸着板２９を備えた支持アーム３０とからなる。これにより、吸着板２９は支柱２６に対して片持ち方式で保持されている。支持アーム３０は、内部に組み込まれた回転機構３５によって回転する。
また、吸着板２９はその一面に多数の吸着孔を有する吸着面２９ａを備え、真空ポンプを用いた減圧装置に吸気用の配管（図示外）を介して接続されており、減圧装置による吸引エアによって基板Ｗを吸着して搬送できるように形成されている。移動台２５はコンベア３４を用いた移動機構によりガイドレール２４に沿ってＸ方向に移動される。また、可動子２７は内部に組み込まれた電動の昇降機構（図示外）により昇降される。
【００１８】
支柱２６には、図８で示す両側面２６ａ、２６ａに補強プレート３１、３１が取り付けられている。また、支柱２６の、吸着板２９とは反対側の背面２６ｂには後部補強プレート３２、３２が設けられている。これら補強プレート３１および後部補強プレート３２により、支柱２６を補強している。また、可動子２７は、支柱２６の前面２６ｃに面接するスライド面２７ａを備えており、かつ、補強プレート３１の吸着板２９とは反対側の後端面３１ａにスライド可能に係合する係合部３３、３３を有している。このようにして可動子２７は、スライド面２７ａと係合部３３とによって支柱２６を前後から挟むようにして支柱２６に取り付けられており、これにより、可動子２７並びに支柱２６が荷重により変形するのを防止している。特に、片持ち方式にあっては、吸着板２９、支持アーム３０、回転機構３５の自重に加えて、基板を吸着した際の重量も加わって、吸着板２９部分が下方に下がろうとする曲げモーメントが発生するが、可動子２７の後端に設けられた係合部３３が補強プレート３１の後端面３１ａに係合することによって、当該曲げモーメントを受けることができる。これにより、片持ち方式のメリット、すなわち、一つの支柱によるコンパクトな構成を維持しながら、可動子２７および支柱２６の歪みや変形の発生を防止することができる。
【００１９】
次に、上記した基板分断装置によるマザー基板Ｗの分断工程を、図９〜１４を用いて順を追って説明する。
搬入用コンベアＣにより給材された基板Ｗは、図９に示すように、吸着搬送機構Ｅによってスクライブ装置Ｄの受け渡し位置にあるテーブル５上に載置される。次いで図１０に示すように、テーブル５をスクライブヘッド１３の位置まで移動させて、カッターホイール（図４参照）により互いに交差するＸ−Ｙ方向のスクライブラインＳを形成した後、テーブル５が図９の元位置（受け渡し位置）に戻される。この後、図１１に示すように、基板Ｗは吸着搬送機構Ｅによって吸着されてブレイク装置Ｆとの間に搬送され、吸着反転機構Ｇの吸着板２９上に載置される。この際、吸着板２９は、その吸着面を図１に示すように上向きにした状態で待機させておく。
【００２０】
次いで、図１２に示すように、基板Ｗを吸着した吸着板２９を反転させ、表裏反転された基板Ｗをブレイク装置Ｆの受け渡し位置にあるテーブル１５上に載置する。ブレイク装置Ｆでは、図１３に示すように、基板Ｗが載置されたテーブル１５をブレイクバー２２の下方まで移動させて、ブレイクバー２２によりスクライブラインＳに沿って基板Ｗを分断した後、テーブル１５は図１２の元位置（受け渡し位置）に戻される。この後、図１４に示すように、分断された基板Ｗは、再び吸着反転機構Ｇによってテーブル１５から吸着されて排出用コンベアＨに除材される。
【００２１】
以上、１枚のマザー基板Ｗの分断工程について順を追って説明したが、連続して基板Ｗを分断する場合は、最初の基板Ｗのブレイク作業がブレイク装置Ｆで行われている間に、上記した図９、１０の工程を経てスクライブされた基板Ｗを吸着搬送機構Ｅで吸着待機させておく。そして、吸着反転機構Ｇで最初の基板Ｗを排出用コンベアＨに除材した後、吸着搬送機構Ｅから次の基板Ｗを受け取って図１１〜１４の工程を行うことにより、流れ作業で連続的に基板Ｗを分断することができる。
【００２２】
上記実施例では、単板の基板Ｗを分断する場合について記載したが、２枚のガラス基板を貼り合わせた貼り合わせ基板を分断する場合は、ブレイク装置Ｆで基板Ｗの一方の面（Ａ面）のブレイクが完了した後、吸着搬送機構Ｅで基板Ｗを吸着反転機構Ｇの吸着板２９上に載置し、基板Ｗを反転させて再びスクライブ装置Ｄのテーブル５上に載置する。この後、前記図１０〜１４で示した工程と同じ工程を経て基板Ｗの他方の面（Ｂ面）をブレイクした後、吸着反転機構Ｇでブレイク装置Ｆのテーブル１５上から基板Ｗを除材する。
【００２３】
上述したように、本発明の分断装置では、基板Ｗを反転させて次工程のブレイク装置Ｆのテーブル１５上に載置する反転搬送作業と、分断された基板Ｗをブレイク装置Ｆのテーブル１５から除材する除材作業とを一つの吸着反転機構Ｇによって行うようにしているので、分断装置を簡素化してコンパクトに構成することが可能となる。
【００２４】
以上本発明の代表的な実施例について説明したが、本発明は必ずしも上記の実施形態に特定されるものではなく、本発明の目的を達成し、請求の範囲を逸脱しない範囲内で適宜修正、変更することが可能である。
【産業上の利用可能性】
【００２５】
本発明は、基板上にスクライブラインを形成してこのスクライブラインに沿ってブレイクする基板分断装置に利用される。
【符号の説明】
【００２６】
Ｃ  搬入用コンベア
Ｄ  スクライブ装置
Ｅ  吸着搬送機構
Ｆ  ブレイク装置
Ｇ  吸着反転機構
Ｈ  排出用コンベア
Ｓ  スクライブライン
Ｗ  マザー基板（脆性材料基板）
５  スクライブ装置のテーブル
１５  ブレイク装置のテーブル
２９  吸着反転機構の吸着板
【図１】
2014080334.tif 000003
【図２】
2014080334.tif 000004
【図３】
2014080334.tif 000005
【図４】
2014080334.tif 000006
【図５】
2014080334.tif 000007
【図６】
2014080334.tif 000008
【図７】
2014080334.tif 000009
【図８】
2014080334.tif 000010
【図９】
2014080334.tif 000011
【図１０】
2014080334.tif 000012
【図１１】
2014080334.tif 000013
【図１２】
2014080334.tif 000014
【図１３】
2014080334.tif 000015
【図１４】
2014080334.tif 000016